(57)【要約】【課題】かご枠からかご本体に振動が伝達されることを抑制し、エレベータのかごの強度を向上させ、エレベータのかごの構成を単純化させることができるエレベータのかごを得る。【解決手段】互いに離れて立てられた一対の縦枠３と縦枠３の上端部間を連結する上梁４と縦枠３の下端部間を連結する下梁５とを有したかご枠１と、防振部材８を介して下梁５に支持されたかご床６と、かご床６に支持されたかご室７と、かご室７に設けられ、防振部材１１を介して水平方向についての縦枠３に対するかご室７の移動を規制するかご室移動規制部材１２と、かご室移動規制部材１２とかご床６とを連結する筋交い部材１３とを備えている。【選択図】図１
2012041174.tif 000002
【特許請求の範囲】
【請求項１】
互いに離れて立てられた一対の縦枠と前記縦枠の上端部間を連結する上梁と前記縦枠の下端部間を連結する下梁とを有したかご枠と、
第１の防振部材を介して前記下梁に支持されたかご床と、
前記かご床に支持されたかご室と、
前記かご室に設けられ、第２の防振部材を介して水平方向についての前記縦枠に対する前記かご室の移動を規制する第１の移動規制部材と、
前記第１の移動規制部材または前記かご室と前記かご床とを連結する筋交い部材とを備えたことを特徴とするエレベータのかご。
【請求項２】
前記かご床に設けられ、第３の防振部材を介して水平方向についての前記縦枠に対する前記かご床の移動を規制する第２の移動規制部材をさらに備えたことを特徴とする請求項１に記載のエレベータのかご。
【発明の詳細な説明】
【技術分野】
【０００１】
この発明は、昇降路を昇降するエレベータのかごに関する。
【背景技術】
【０００２】
従来、かご枠と、かご枠に設けられたかご本体と、かご枠とかご本体とを連結する筋交い部材とを備えたエレベータのかごが知られている。かご枠は、互いに離れて並立された一対の縦枠と、縦枠の上端部間を連結する上梁と、縦枠の下端部間を連結する下梁とを有している。かご本体は、第１の防振部材を介して下梁に支持されたかご床と、かご床に支持されたかご室とを有している。かご室には、第２の防振部材を介して水平方向についての縦枠に対するかご室の移動を規制する移動規制部材が設けられている。筋交い部材は、一端部が縦枠に取り付けられ、他端部が第３の防振部材を介してかご床に取り付けられている。かご本体とかご枠との間には、第１の防振部材、第２の防振部材および第３の防振部材が配置されているので、かご枠からかご本体に振動が伝達されることが抑制される。かご床に偏って積載荷重が加えられた場合には、かご床に加えられる力が筋交い部材を介して縦枠に伝達されるので、エレベータのかごの強度が向上される（例えば、特許文献１参照）。
【先行技術文献】
【特許文献】
【０００３】
【特許文献１】特開昭６２−７９１９２号公報
【発明の概要】
【発明が解決しようとする課題】
【０００４】
しかしながら、筋交い部材が第３の防振部材を介してかご床に連結されているので、エレベータのかごの構成が複雑となってしまうという問題点があった。
【０００５】
この発明は、かご枠からかご本体に振動が伝達されることを抑制し、エレベータのかごの強度を向上させ、エレベータのかごの構成を単純化させることができるエレベータのかごを提供するものである。
【課題を解決するための手段】
【０００６】
この発明に係るエレベータのかごは、互いに離れて立てられた一対の縦枠と前記縦枠の上端部間を連結する上梁と前記縦枠の下端部間を連結する下梁とを有したかご枠と、第１の防振部材を介して前記下梁に支持されたかご床と、前記かご床に支持されたかご室と、前記かご室に設けられ、第２の防振部材を介して水平方向についての前記縦枠に対する前記かご室の移動を規制する第１の移動規制部材と、前記移動規制部材または前記かご室と前記かご床とを連結する筋交い部材とを備えている。
【発明の効果】
【０００７】
この発明に係るエレベータのかごによれば、第１の移動規制部材が第２の防振部材を介して水平方向についての縦枠に対するかご室の移動を規制し、筋交い部材が移動規制部材またはかご室とかご床とを連結するので、かご枠からかご本体に振動が伝達されることを抑制し、エレベータのかごの強度を向上させ、エレベータのかごの構成を単純化させることができる。
【図面の簡単な説明】
【０００８】
【図１】この発明の実施の形態１に係るエレベータのかごを示す側面図である。
【図２】図１のエレベータのかごの上部を示す拡大図である。
【図３】図２のエレベータのかごの上部を示す平面図である。
【図４】図２のエレベータのかごの上部を示す側面図である。
【図５】図１のエレベータのかごの下部を示す拡大図である。
【図６】図５のエレベータのかごの下部を示す平面図である。
【図７】図５のエレベータのかごの下部を示す側面図である。
【発明を実施するための形態】
【０００９】
実施の形態１．
図１はこの発明の実施の形態１に係るエレベータのかごを示す側面図である。図において、昇降路には、かご枠１が昇降可能に設けられている。かご枠１には、かご本体２が支持されている。かご枠１は、互いに離れて立てられた一対の縦枠３と、縦枠３の上端部間を連結する上梁４と、縦枠３の下端部間を連結する下梁５とを有している。かご枠１およびかご本体２は、所定の荷重を支えるのに十分な強度を有している。
【００１０】
かご本体２は、かご床６と、かご床６に支持されたかご室７とを有している。かご床６は、下梁５に設けられた防振部材（第１の防振部材）８を介して、下梁５に支持されている。かご床６と下梁５との間に防振部材８が配置されているので、下梁５からかご床６に振動が伝達されることが抑制される。
【００１１】
かご室７の間口方向についてのかご床６の両端部には、それぞれに防振部材（第３の防振部材）９が取り付けられた一対のかご床移動規制部材（第２の移動規制部材）１０が設けられている。
【００１２】
かご室７の上部であってかご室７の間口方向両端部には、それぞれに防振部材（第２の防振部材）１１が取り付けられた一対のかご室移動規制部材（第１の移動規制部材）１２が設けられている。かご室移動規制部材１２とかご床６の角部とは、ボルトを用いて筋交い部材１３により連結されている。
【００１３】
図２は図１のエレベータのかごの上部を示す拡大図、図３は図２のエレベータのかごの上部を示す平面図、図４は図２のエレベータのかごの上部を示す側面図である。図において、かご室移動規制部材１２は、ボルトを用いてかご室７に固定されている。かご室移動規制部材１２は、断面Ｌ字形状に形成されたＬ字形状部１２ａを有している。かご室移動規制部材１２は、Ｌ字形状部１２ａがかご室７の奥行方向を向いた縦枠３の面とかご室７の間口方向を向いた縦枠３の面とに対向するように配置されている。防振部材１１は、縦枠３に当接するように配置されている。かご室移動規制部材１２は、防振部材１１を介してかご室７の奥行方向およびかご室７の間口方向についての縦枠３に対するかご室７の移動を規制する。かご室移動規制部材１２と縦枠３との間に防振部材１１が配置されているので、縦枠３からかご室移動規制部材１２に振動が伝達されることが抑制される。その結果、縦枠３からかご室移動規制部材１２を介してかご室７に振動が伝達されることが抑制される。
【００１４】
図５は図１のエレベータのかごの下部を示す拡大図、図６は図５のエレベータのかごの下部を示す平面図、図７は図５のエレベータのかごの下部を示す側面図である。図において、かご床移動規制部材１０は、かご室７の奥行方向について縦枠３を挟む位置に配置されている。防振部材９は、縦枠３に当接するように配置されている。かご床移動規制部材１０は、防振部材９を介してかご室７の奥行方向についての縦枠３に対するかご床６の移動を規制する。かご床移動規制部材１０と縦枠３との間に防振部材９が配置されているので、縦枠３からかご床移動規制部材１０に振動が伝達されることが抑制される。その結果、縦枠３からかご床移動規制部材１０を介してかご床６に振動が伝達されることが抑制される。なお、かご床移動規制部材１０は、かご室７の奥行方向に加えて、かご室７の間口方向についての縦枠３に対するかご床６の移動を規制するようにしてもよい。
【００１５】
次に、かご本体２の出入口２ａ（図１）側におけるかご床６の部分に積載荷重が偏って加えられた場合について説明する。かご本体２の出入口２ａ側におけるかご床６の部分に積載荷重が偏って加えられた場合には、積載荷重によってかご床６に加えられる力は、筋交い部材１３を介して、かご室移動規制部材１２に伝達される。かご室移動規制部材１２に伝達された力のうち、鉛直方向についての力は、かご室７の壁および防振部材８を介して下梁５に伝達される。かご室移動規制部材１２に伝達された力のうち、水平方向についての力は、防振部材１１を介して縦枠３に伝達される。同時に、かご床６に伝達される水平方向についての力は、かご床移動規制部材１０および防振部材９を介して縦枠３に伝達される。これらにより、かご本体２の出入口２ａ側におけるかご床６の部分に積載荷重が偏って加えられた場合であっても、かご本体２の出入口２ａ側におけるかご床６の部分が下方へ傾くようにかご床６が変形することが抑制される。その結果、エレベータのかごの強度が向上される。
【００１６】
以上説明したように、この発明の実施の形態１に係るエレベータのかごによれば、かご室移動規制部材１２およびかご床移動規制部材１０が防振部材１１および防振部材９を介して水平方向についての縦枠３に対するかご室７およびかご床６の移動を規制し、筋交い部材１３がかご室移動規制部材１２とかご床６とを連結するので、エレベータのかごの強度を向上させることができる。その結果、かご床６の厚みを小さくすることができ、エレベータのかごを安価に構成することができる。また、かご床６に偏荷重が加えられた場合であってもかご室７およびかご床６の変形が抑制されるので、防振部材８にせん断荷重が加えられることを抑制することができる。これにより、防振部材８を小型化することができる。
【００１７】
また、かご床６と下梁５との間に防振部材８が配置され、かご室移動規制部材１２と縦枠３との間に防振部材１１が配置されているので、かご枠１からかご本体２に振動が伝達されることを抑制することができる。その結果、エレベータのかごの乗り心地を向上させることができる。
【００１８】
また、筋交い部材１３が防振部材を介さずにかご床６に取り付けられているので、エレベータのかごの構成を単純化させることができる。その結果、エレベータのかごを安価に構成することができる。
【００１９】
また、かご床６に設けられ、防振部材９を介して水平方向についての縦枠３に対するかご床６の移動を規制するかご床移動規制部材１０をさらに備えているので、かご床６に水平方向の力が作用した場合であっても、かご床６が水平方向について縦枠３に対して移動することが抑制される。また、かご床６と縦枠３との間に防振部材９が配置されているので、かご枠１からかご床６に振動が伝達されることを抑制することができる。その結果、エレベータのかごの乗り心地を向上させることができる。
【００２０】
なお、上記実施の形態１では、筋交い部材１３がかご室移動規制部材１２に連結される構成について説明したが、筋交い部材１３がかご室７に連結される構成であってもよい。この場合、筋交い部材１３は、かご室移動規制部材１２が取り付けられているかご室７の部分の近傍でかご室７に連結される。
【００２１】
また、上記実施の形態１では、かご室移動規制部材１２がかご室７の上部に配置された構成について説明したが、かご室７の上部に限らず、かご室７のその他の部位に配置してもよい。
【符号の説明】
【００２２】
１  かご枠、２  かご本体、２ａ  出入口、３  縦枠、４  上梁、５  下梁、６  かご床、７  かご室、８  防振部材（第１の防振部材）、９  防振部材（第３の防振部材）、１０  かご床移動規制部材（第２の移動規制部材）、１１  防振部材（第２の防振部材）、１２  かご室移動規制部材（第１の移動規制部材）、１２ａ  Ｌ字形状部、１３  筋交い部材。
【図１】
2012041174.tif 000003
【図２】
2012041174.tif 000004
【図３】
2012041174.tif 000005
【図４】
2012041174.tif 000006
【図５】
2012041174.tif 000007
【図６】
2012041174.tif 000008
【図７】
2012041174.tif 000009